(57)【要約】【課題】非透気性の薄い袋状のシートを膨張させて被包装物をほぼ完全被覆することによって、被包装物の安全な輸送・保管を可能にする。【解決手段】表裏一対の非透気性シートからなる柔軟な袋体であって、該袋体は表裏の非透気性シートが空気弁を介してそれぞれ膨張可能な密封二重シートから構成されている。これにより緩衝保護効果が十分となり、また袋体自体が化粧性に富むものを用いれば、被包装物を化粧紙により包装する必要もなくなり、省資源化と包装作業の短縮をはかることができる。しかも使用後においては内部の空気を抜くことにより平坦化でき、使用の前後を問わずに袋体自体が嵩張ることもなく、廃棄処分も容易であり、また再使用も可能である。【選択図】図１
2006069552.tif 000002
【特許請求の範囲】
【請求項１】
表裏一対の非透気性シートからなる柔軟な袋体であって、該袋体は表裏の非透気性シートが空気弁を介してそれぞれ膨張可能な密封二重シートから構成されていることを特徴とした包装用パック。
【請求項２】
袋体は筒状をなし、少なくとも片側が開口されているものである請求項１に記載の包装用パック。
【請求項３】
空気弁は、逆止弁機構が施されているものである請求項１に記載の包装用パック。
【請求項４】
あらかじめ円筒状に形成された非透気性シートからなる柔軟な長尺素材を、長さ方向に対して交差方向に、一定間隔毎に切断してパック素材を得る工程と、該パック素材を幅方向に中央から二つ折りして二重シートを二段に折り重ねる工程と、二つ折りしたパック素材の少なくとも片側の二重シートの端部に、一端を外部に突出させるとともに他端を二重シート内奥方に臨ませた状態で空気弁を配置する工程と、二段に折り重ねられた二重シートの切断端面に沿って空気弁と共にヒートシールする工程とからなる包装用パックの製造方法。
【請求項５】
空気弁を配置する工程が、パック素材を幅方向に中央から二つ折りして二重シートを二段に折り重ねる工程の前に行われるものである請求項４に記載の包装用パックの製造方法。
【請求項６】
空気弁は、逆止弁機構が施されているものである請求項４に記載の包装用パックの製造方法。
【発明の詳細な説明】
【技術分野】
【０００１】
本発明は、商品や貴重品等の被包装物を簡易に包装するための包装パックおよびその製造方法に関し、軽量で低コスト、しかも内容物の十分な保護効果があり、廃棄処分も容易にすることを目的とする。
【背景技術】
【０００２】
とくに時計やガラス製品、陶磁器等の落下によるダメージの大きい商品、あるいは計算機その他各種測定機器類など移送中における振動を嫌う商品などの販売時には、商品など品物の全体を包み、しかもある程度の厚みにより衝撃を緩衝することができるような包装材料により包装される。
【０００３】
このような品物の包装材としては、一般的に例えば収容すべき品物の全体よりもかなり大きめの容器を用意し、該容器内に品物を装入するとともに、容器内の空隙に発泡スチロール樹脂片などの緩衝材を充填して包装することがおこなわれている。  また上記発泡スチロール樹脂片に代わるものとして、容量の最大容積に達しない量の流体を注入・封止した袋体を緩衝材として用いるものも知られている（特開２０００−５３１６７公報参照）。
【０００４】
さらに、クッション性を有し、しかも二つ折り以上に折り畳みが可能な紙製のシート材の、少なくとも一方の面の周縁部にコールドシール接着剤層を形成し、該接着剤層同士を重ね圧着して被包装物を包装するようにした包装材も知られている（登録実用新案第３０５８２８５号公報参照）。
【０００５】
さらに複数の商品を包装するものとしては、複数の被包装物を硬質容器の収納凹部の開口に緊張して張設された一対のストレッチフィルムが被包装物で引き伸ばされて変形されるとともに、緊張状態を維持したままで収納空間の中空位置に被包装物を保持することができるようにした包装体も知られている（特開平８−１８３５６４号公報参照）。
【特許文献１】特開２０００−５３１６７
【特許文献２】登録実用新案第３０５８２８５号
【特許文献３】特開平８−１８３５６４
【発明の開示】
【発明が解決しようとする課題】
【０００６】
しかしながら、緩衝材として発泡スチロール樹脂片や、流体を注入・封止した袋体（引用文献１）、あるいは特許文献３に記載の包装材を用いる場合においては、緩衝効果が比較的大きく得られる反面、包装材自体が嵩張るところから使用後の廃棄処分に不便である。  また周縁部にコールドシール接着剤層を形成した二つ折り以上に折り畳みが可能なクッション性を有する紙製のシート材を用いる特許文献２に記載の包装材にあっては、嵩張らない反面、緩衝効果の面においては必ずしも十分とはいえない。
【課題を解決するための手段】
【０００７】
そこで、本発明にあっては被包装物との間に十分な空隙を確保して緩衝効果を大きくするとともに、使用前または使用後における嵩張りがなく、しかも廃棄処分性が容易な包装用パック、およびその製造方法を開発したものであって、具体的には請求項１に記載の発明は、表裏一対の非透気性シートからなる柔軟な袋体であって、該袋体は表裏の非透気性シートが空気弁を介してそれぞれ膨張可能な密封二重シートから構成されていることを特徴とした包装用パックに関する。
【０００８】
また請求項２の発明は、上記袋体が筒状をなし、少なくとも片側が開口されているものである請求項１に記載の包装用パックに関する。  さらに請求項３の発明は、上記空気弁が、逆止弁機構が施されているものである請求項１に記載の包装用パックに関する。
【０００９】
さらに請求項４の発明は、あらかじめ円筒状に形成された非透気性シートからなる柔軟な長尺素材を、長さ方向に対して交差方向に、一定間隔毎に切断してパック素材を得る工程と、該パック素材を幅方向に中央から二つ折りして二重シートを二段に折り重ねる工程と、二つ折りしたパック素材の少なくとも片側の二重シートの端部に、一端を外部に突出させるとともに他端を二重シート内奥方に臨ませた状態で空気弁を配置する工程と、二段に折り重ねられた二重シートの切断端面に沿って空気弁と共にヒートシールする工程とからなる包装用パックの製造方法に関する。
【００１０】
さらに請求項５の発明は、上記空気弁を配置する工程が、パック素材を幅方向に中央から二つ折りして二重シートを二段に折り重ねる工程の前に行われるものである請求項４に記載の包装用パックの製造方法に関する。  さらに請求項６の発明は、上記空気弁が、逆止弁機構が施されているものである請求項４に記載の包装用パックの製造方法に関する。
【発明の効果】
【００１１】
請求項１〜３の発明によれば、被包装物を袋体内に入れた後、単に空気弁により密封二重シート間に空気を充填するだけで、袋体が立体的に膨張すると同時に被包装物が、膨張した袋体の中間に位置して保持されるから緩衝保護効果が十分となり、また袋体自体が化粧性に富むものを用いれば、被包装物を化粧紙により包装する必要もなくなり、省資源化と包装作業の短縮をはかることができる。
【００１２】
しかも使用後においては内部の空気を抜くことにより平坦化でき、使用の前後を問わずに袋体自体が嵩張ることもなく、廃棄処分も容易であり、また再使用も可能である等、使い勝手がきわめて良好である。
【００１３】
また請求項４〜６の発明によれば、あらかじめ円筒状に形成された非透気性シートからなる柔軟な長尺素材を用いるために、ヒートシール部分が重なることがないために空気洩れの危険性が極端に低下し、また生産ラインにおけるヒートシール作業工程が少なく、きわめて合理的に包装用パックの量産化が可能となる。
【発明を実施するための最良の形態】
【００１４】
以下において本発明の具体的な内容を図１〜５の実施例をもとに説明すると、図において７は本発明に係る包装用パックをあらわしている。  この包装用パック７は図４および図５にあらわしたように密封二重シートからなる表裏一対の非透気性シート３ａおよび３ｂにより柔軟な袋状に構成されている。
【００１５】
具体的には二重シートからなる表裏一対の非透気性シート３ａおよび３ｂは、図１および図３における長辺、すなわち長さ方向両端縁は互いに連続しているが、端辺両側縁は一部に空気弁４を介してヒートシール部５・５により密封され、長辺の一方を開口部６とするとともに、空気弁４から上記二重シート間に空気を充填することにより非透気性シート３ａおよび３ｂのそれぞれを膨張させて全体として筒状に体積を増大させることができるように構成している。
【００１６】
なお、ここで使用される非透気性シート３ａおよび３ｂの材料については、ポリエチレンやビニルシートその他の樹脂材、さらには生分解性シート、ラミネートシートなど、柔軟でしかも非透気性のシート状のものであれば広く適用が可能である。  また被包装物Ｐの視認性を良好にするためには透明もしくは半透明の材質のものを用いるものとし、さらに女性用品用である場合にはピンク色、清涼性を強調する場合には薄いブルー系の色彩を施すなど用途如何によっては任意の着色を付すことができる。
【００１７】
さらに、上記した空気弁４については、逆止弁機構４ａが施されているものが好ましいが、空気充填後に充填した空気の逆流を阻止することができるものであれば格別構造の如何を問わない。
【００１８】
さらに上記包装用パック７の製造方法について図６および図７をもとに説明をすると、本発明においては環状のパック素材３が使用される。  このパック素材３は、図６にあらわしたようにあらかじめ円筒状に形成された非透気性シートからなる柔軟な長尺素材１を平坦にして長さ方向に対して交差方向に、一定間隔１ａ・１ｂ・１ｃ・１ｄ・・・毎に切断して図７（ａ）のパック素材３が得られる〔（ａ）の工程〕。
【００１９】
つぎに上記のパック素材３を、幅方向に中央折り線２ａ・２ｂから二つ折りして二重シートを二段に折り重ねることにより非透気性シート３ａおよび３ｂを上下に折り重ねる〔（ｂ）の工程〕。  つぎに、上記により二つ折りしたパック素材３の非透気性シート３ａ又は３ｂの少なくとも一方の端部における二重シート間に、一端を外部に突出させるとともに他端を二重シート内奥方に臨ませた状態で空気弁４を配置する〔（ｃ）の工程〕。
【００２０】
そして最後に、上記により二段に折り重ねられた二重シートによる非透気性シート３ａおよび３ｂの両切断端面に沿って空気弁４と共にヒートシール５・５することにより非透気性シート３ａおよび３ｂの各二重シート間が気蜜に保持されて包装用パック７が完成する〔（ｄ）の工程〕。
【００２１】
なお、この場合において、上記した（ｃ）の工程においておこなわれる空気弁を配置する工程については、パック素材を幅方向に中央から二つ折りして二重シートを二段に折り重ねる工程の前、すなわち前記（ａ）又は（ｂ）の工程中においておこなうようにしてもよい。
【００２２】
上記した包装用パック７は、開口部６から被包装物Ｐを内部に装入するとともに、空気弁により非透気性シート３ａ又は３ｂの二重シート間に空気を充填すると、各非透気性シート３ａおよび３ｂが膨張して図１および図２にあらわしたように被包装物Ｐを中央部に、外側のシートから十分に離間させた状態にて保持させることができる。
【００２３】
なお、上記した実施例においては、包装用パック７の形状を平面長方形に構成したが、必ずしもこれに限られるものではなく、長円形や菱型、あるいは六角形その他、本発明の趣旨を逸脱しない範囲内において、種々の設計変更が可能である。
【００２４】
また本発明による包装用パック７を用いることが可能な被包装物Ｐとしては、既述した時計やガラス製品、陶磁器、計算機その他各種測定機器類などのほかに、各種ＯＡ機器類や家電製品、絵画、メガネ、カメラ、電池、携帯電話、ＣＤ、ＤＶＤ、電球、貴金属その他の装飾品類等、広く適用が可能であり、また店舗としては、百貨店やスーパーマーケット、家電量販店等、広範囲での利用が期待される。
【図面の簡単な説明】
【００２５】
【図１】本発明の一実施例である被包装物を包装した状態の包装用パックの使用状態斜視図。
【図２】図１におけるＡ−Ａ線の部分断面図。
【図３】本発明の実施例である包装用パックの平面図。
【図４】図３におけるＢ−Ｂ線の部分拡大断面図。
【図５】図３におけるＣ−Ｃ線の部分拡大断面図。
【図６】パック素材を得るための長尺素材の一部をあらわした概略説明図。
【図７】パック素材から本発明の包装用パックを得るための製造工程をあらわした説明図。
【符号の説明】
【００２６】
１      長尺素材
２ａ    中央折り線
２ｂ    中央折り線
３      パック素材
３ａ    非透気性シート
３ｂ    非透気性シート
４      空気弁
５      ヒートシール
６      開口部
７      包装用パック
【図１】
2006069552.tif 000003
【図２】
2006069552.tif 000004
【図３】
2006069552.tif 000005
【図４】
2006069552.tif 000006
【図５】
2006069552.tif 000007
【図６】
2006069552.tif 000008
【図７】
2006069552.tif 000009